(57)【要約】【課題】従来技術では使用者の使い慣れたパソコンの環境を、別の場所のパソコンを用いて使用する場合、パソコン本体を持ち運ばなければいけなかった。又、マウスに情報を登録して使用する場合でも記憶媒体を差込み使用し、オペレーティングシステムを格納して使用するなど大容量記憶領域やハードディスクを内蔵するなど想定されていなかった。【解決手段】パソコン本体に内蔵ハードディスクとマウス内蔵ハードディスクとを切替える切替制御部を設けて、マウスに内蔵されたハードディスクのソフトウエアによりパソコンを動作させる。この方法により、前記課題は解決される。【選択図】  図１
2004295454.tif 000002
【特許請求の範囲】
【請求項１】
パソコンに高速インタフェースを使用してマウスが接続出来る構成で、少なくともパソコンに内蔵しているハードディスクとマウスに内蔵しているハードディスクを切り替えることが出来る切替制御部を持ち、パソコンが使用するハードディスクを必要に応じてパソコン内蔵のハードディスクとマウス内蔵のハードディスクとを切替えることが出来るマウスパソコンシステム。
【請求項２】
請求項１記載において、パソコンに接続されるマウスにハードディスクを内蔵し、マウスに内蔵されたハードディスクにインストールされたプログラムによりパソコン本体が動作するマウスパソコンシステム。
【請求項３】
請求項１記載において、ハードディスクが内蔵されたマウスがパソコン本体にＳＣＳＩ、ＩＥＥＥ１３９４、ＵＳＢ２．０など高速インタフェースにて接続されるマウスパソコンシステム。
【請求項４】
請求項１記載において、パソコンとハードディスク内蔵マウスの接続が１つの高速インタフェースで、マウス信号とハードディスク信号の２種を同時に通信出来るマウスパソコンシステム。
【請求項５】
請求項１記載において、パソコンに接続されるハードディスクを内蔵したマウスにおいて、マウスのハードディスクにインストールされるソフトウエアがオペレーティングシステム、ワープロソフトや表計算ソフトなどのアプリケーションソフト、各種ツールソフト、ゲームソフトなどパソコンの使用者が必要であるソフトウエアをインストールしたマウスパソコンシステム。
【請求項６】
請求項１記載において、パソコンに接続されるマウスに内蔵しているハードディスクと、パソコンに内蔵されたハードディスクのインストールソフトウエアを必要に応じて、必要なソフトウエアのみ転送する手段を持つマウスパソコンシステム。
【請求項７】
請求項１記載において、切替制御部が、パソコン内蔵ハードディスクとマウス内蔵ハードディスクを切替えるハードディスク切替部と、パソコンに接続されるマウスから同時に送られて来るマウス信号とハードディスク信号とを分離するマウス／ハードディスク信号分離部から成るマウスパソコンシステム。
【発明の詳細な説明】
【０００１】
【発明の属する技術分野】
本発明はパソコンシステムで、マウスに内蔵されたハードディスクにインストールされたソフトウエアを使用することにより、いつも自分が使用している設置場所固定のパソコン以外で、自分のパソコン環境及びデータを他に設置しているパソコンで使用したい場合に、マウスのみを持ち運んでパソコンに接続することにより、いつも自分で使い慣れている環境／画面／設定にてオペレーション操作やデータの加工が自分のパソコンが其処にあるイメージで使用可能となるマウスパソコンシステムに関する。
【０００２】
【従来の技術】
従来の技術としては、特開平１１−２１９２３１号公報や特開２００２−７３２７４号公報が有る。従来技術では使用者の使い慣れたパソコンの環境を、別の場所のパソコンを用いて使用する場合、パソコン本体を持ち運ばなければいけなかった。又、マウスに情報を登録して使用する場合でも記憶媒体を差込み使用し、オペレーティングシステムを格納して使用するなど大容量記憶領域やハードディスクを内蔵するなど想定されていなかった。
【０００３】
【特許文献１】
特開平１１−２１９２３１号公報
【特許文献２】
特開２００２−７３２７４号公報
【０００４】
【発明が解決しようとする課題】
上記従来技術では、パソコンの使用者が自分のパソコンの環境をそのまま別の場所に設置してあるパソコンで使用したくても、別の場所に設置しているパソコンの環境は別の人のものであるため、オペレーティングシステムの設定が違っていたり、アプリケーションソフトの設定が違ったり、必要なソフトウエアがインストールされていなかったりで、使い勝手がとても悪かった。また、必要なデータも当然他人のパソコンに登録されておらず、データを何らかの手段でインストールし、データの操作後、パソコンの使用者に迷惑がかからないように、データの削除などを実施する必要があった。
【０００５】
本発明は、自分専用のマウスのハードディスクにパソコン操作に必要なソフトウエアを全てインストールしておき、これを持ち運び、パソコンに接続することにより、常に自分に合った環境でパソコンが使用できる。又、マウスは手にフィットしている常に使い慣れたものを使用したいもので、清潔面からも他人に触られたり、他人の物をあまり触りたくないものではないが、自分のマウスを持ち運ぶことにより自分専用の物とすることが出来る。
【０００６】
【課題を解決するための手段】
上記課題を解決するために、パソコン本体に内蔵ハードディスクとマウス内蔵ハードディスクとを切替える切替制御部を設けて、マウスに内蔵されたハードディスクのソフトウエアによりパソコンを動作させる。この方法により、前記課題は解決される。
【０００７】
【発明の実施の形態】
以下に本発明の実施例を、図１〜図１４により説明する。
（請求項１〜請求項４、請求項７の場合）
図１及び図２に、本発明の実施例構成図を示す。
【０００８】
パソコン本体４は、メイン制御部５及び内蔵ハードディスク装置３及び切替制御部２にて大きく構成される。
【０００９】
マウス１は、マウス制御部１４及びハードディスク９及びマウスハードディスク使用可否スイッチ１５にて大きく構成される。マウス９は、高速インタフェース８を使用して切替制御部２に接続される。この高速インタフェース８は、ＳＣＳＩ、ＩＥＥＥ１３９４、ＵＳＢ２．０などを用いる。
【００１０】
１台のパソコンシステムは、パソコン本体４に表示装置７及びキーボード６及びマウス１にて構成される。
【００１１】
切替制御部２は、ハードディスク切替部１２及びマウス／ハードディスク信号分離部１３にて構成される。ハードディスク切替部１２は、ＩＤＥ  Ｉ／Ｆ１０にてメイン制御部５と接続される。マウス／ハードディスク信号分離部１３は、マウスＩ／Ｆ１１にてメイン制御部５と接続される。スイッチ制御部１７は、スイッチ１６の切替制御を行う。マウス／ハードディスク信号分離部１３には、分離／結合部１８が内蔵される。
【００１２】
図５を用いて、マウスパソコンシステムの概念を説明する。
【００１３】
設計棟８０に設置しているパソコン９４は、表示装置８１及びパソコン本体８２及びキーボード８３及びマウス８４にて構成される。又、生産棟８５には、パソコン２式があるとする。１台目のパソコン９５は、表示装置８６及びパソコン本体８７及びキーボード８８及びマウス８９にて構成される。２台目のパソコン９６は、表示装置９０及びパソコン本体９１及びキーボード９２及びマウス９３にて構成される。
【００１４】
設計棟８０のパソコン９４を主に使用している操作者Ａが、生産棟８５に行ってパソコンを使用したい場合、パソコン９５にて使用する場合、設計棟８０のパソコン９４からマウス８４を取り外し、生産棟８５のパソコン９５のマウス８９と差替え、マウス８４とパソコン本体８７を接続する。
【００１５】
パソコン本体８７に接続されたマウス８４には、操作者Ａがいつも使用しているパソコン８２のハードディスクの内容がインストールされているので、操作者Ａは、いつも使用しているパソコン９４と同じ感覚でパソコン操作が出来る。
【００１６】
前記のパソコン操作のメリットは、オペレーティングシステムの設定や、アプリケーション（ワープロソフトや表計算ソフト・・・）の種類及び個人でアレンジした設定、メニュー一覧、アイコン、各種データなどいつも使いなれている環境で使用できるためとても操作性が良い。
【００１７】
また、マウスはいろいろな形状や大きさが有り、いつも使いなれているマウスはとても使い易いものである。清潔面においても個人専用の物が欲しい。
【００１８】
生産棟８５のパソコン９６を使用したい場合は、生産棟８５のパソコン９５を使用するときと同様に、設計棟８０のパソコン９４のマウス８４を、生産棟８５のパソコン９６のマウス９６と差替えることにより、生産棟８５のパソコン９５と同様に、パソコン９６をいつも操作者Ａは使いなれた環境でパソコン操作が可能となる。
【００１９】
図１、図２、図６〜図９、図１２〜図１４を用いて詳細動作を説明する。
【００２０】
パソコン本体４に高速インタフェース８経由でマウス１を接続する（１００）。
【００２１】
パソコンの電源を立ち上げる（１０１）。
【００２２】
メイン制御部５にてパソコン本体４にマウス１が正常に接続されている（マウス制御部１４との間でマウス認識修理が実施される）か確認する（１０２）。
【００２３】
正常にマウス１が接続されていない場合は、パソコンの電源をオフして、マウス１の接続確認等を行い、パソコンの電源を再投入する。
【００２４】
正常にパソコン本体４にマウス１が接続されている場合は、切替制御部２にあるハードディスク切替部１２にて、マウス４からのデータがＩＤＥ  Ｉ／Ｆ１０に流れるようにスイッチを切替える（１０３）。
【００２５】
ハードディスク切替部１２の詳細動作を以下に示す。
【００２６】
マウス内蔵ハードディスク９にてパソコン動作させたい場合は、マウス１のマウスハードディスク使用可否スイッチ１５を押下する（１６０）。
【００２７】
マウスハードディスク使用可否スイッチ１５が押下されると、マウス１は、マウス制御部１４からハードディスク使用切替コマンドを発行する（１６１）。
【００２８】
ハードディスク切替部１２のスイッチ制御部１７は、ハードディスク使用切替コマンドを受信すると、スイッチ１６に対し、スイッチ切替指示を発行し、スイッチ１６は、１−２が接続される（１６２→１６４）。
【００２９】
メイン制御部５は、ＩＤＥ  Ｉ／Ｆ１０及びハードディスク切替部１２及びマウス／ハードディスク信号分離部１３及び高速インタフェース８を経由して、マウス４内のハードディスク９よりオペレーティングシステムを起動させ、パソコンを起動する（１０４）。
【００３０】
このときを含め、マウス４内のハードディスク９からデータを読み出す場合の説明を以下に示す。
【００３１】
メイン制御部５からマウス４内のハードディスク９よりデータを読み出すコマンドを発行する（１１０）。
【００３２】
高速インタフェース８経由でパソコン本体４の切替制御部２内にあるマウス／ハードディスク信号分離部１３へデータ転送する（１１１）。
【００３３】
マウスから送られてきたデータをマウス／ハードディスク信号分離部１３にて、マウスのデータとハードディスクのデータの２種類に分離する（１１２）。
【００３４】
マウス／ハードディスク信号分離部１３にて分離された、ハードディスクのデータのみをハードディスク切替部１２に転送する（１１３）。
【００３５】
マウス／ハードディスク信号分離部１３から転送されてきたハードディスクのデータは、ハードディスク切替部１２のスイッチを経由して、ＩＤＥ  Ｉ／Ｆ１０へ転送する（１１４）。
【００３６】
メイン制御部５は、ＩＤＥ  Ｉ／Ｆ１０から送られてきたハードディスクのデータ処理を実施する（１１５）。
【００３７】
今度は逆に、マウス４のハードディスク９にデータを書き込む場合を説明する。（１００）から（１６４）までは、マウス４からハードディスクデータを読み出す場合と同じである。
【００３８】
メイン制御部５から、ＩＤＥ  Ｉ／Ｆ１０へマウス１内蔵のハードディスク９へ書き込むデータを送信する（１２０）。
【００３９】
ＩＤＥ  Ｉ／Ｆ１０へ送られてきたデータは、ハードディスク切替部１２にてスイッチを経由して、マウス／ハードディスク信号分離部１３へ転送される（１２１）。
【００４０】
ハードディスク切替部１２から転送されてきたデータは、マウス／ハードディスク信号分離部１３にて、マウスＩ／Ｆ１１から送られてきたマウスデータと結合され、高速インタフェース８を経由して、マウス４へ送信される（１２２、１２３）。
【００４１】
高速インタフェース８から送られてきた、ハードディスク書込みデータは、マウス４内にてマウス制御部１４とハードディスク９に分けられ、ハードディスク書込みデータは、ハードディスク９へ送信し書き込みされる（１２４）。
【００４２】
次にマウスの動作を以下に示す。
【００４３】
マウス４のマウス制御部１４からマウスのデータが高速インタフェース８を経由して、パソコン本体４のマウス／ハードディスク信号分離部１３に送信される（１３０、１３１）。
【００４４】
高速インタフェース８を経由して送られてきたデータは、マウス／ハードディスク信号分離部１３にてマウスのデータとハードディスクのデータに分離され、マウスのデータのみマウスＩ／Ｆ１１へ送信される（１３２、１３３）。
【００４５】
次に、マウスのデータとハードディスクのデータの分離方法を示す。
【００４６】
マウス１から高速インタフェース８を経由してきたデータは、マウス／ハードディスク信号分離部１３の分離／結合部１８にてデータに付加されているフラグを元に、マウスのデータとハードディスクのデータとに分離する。
【００４７】
マウスとハードディスクのデータの分離方法は、分離／結合部１８にてマウスデータ１７２に付加されているマウスデータを示す“０”のフラグ１７０とハードディスクのデータに付加１７３されているハードディスクデータを示す“１”のフラグ１７１を判別する（１８０）。
【００４８】
フラグが“０”の場合は、マウスのデータであるため、マウスＩ／Ｆへデータを転送する（１８１）。
【００４９】
フラグが“１”の場合は、ハードディスクのデータであるため、ハードディスク切替部１２へデータを転送する。
【００５０】
メイン制御部５は、マウスＩ／Ｆ１１から送られてきたマウスのデータ処理を実施する（１３４）。
（請求項５、請求項６の場合）
パソコン本体４からマウス１にデータを移行する場合の例について図３、図１０を用いて以下に示す。
【００５１】
マウス１をパソコン本体４に接続する（１４０）。
【００５２】
ハードディスクデータ移行ツールプログラムを起動する（１４１）。
【００５３】
マウスへデータ移行を選択する（１４２）。
【００５４】
パソコン本体４のハードディスクにインストールされているソフトウエアにおいて、マウス１に移行したいソフトウエアを選択する。ソフトウエア種類としては、オペレーティングシステム５１、アプリケーションソフト５２、データ５３、その他のソフトウエア５４などがある（１４３）。
【００５５】
必要なソフトウエアが選択されると、パソコン本体４のハードディスク３にインストールされているソフトウエアが、マウス１内蔵のハードディスク９にデータ移行される。オペレーティングシステム５１がオペレーティングシステム５５に、アプリケーションソフト５２がアプリケーションソフト５６に、データ５３がデータ５７に、その他のソフトウエア５４がその他のソフトウエア５８に移行される（１４４）。
【００５６】
今度は逆にマウス１からパソコン本体４にデータを移行する場合の例について図４、図１１を用いて以下に示す。
【００５７】
マウス１をパソコン本体４に接続する（１５０）。
【００５８】
ハードディスクデータ移行ツールプログラムを起動する（１５１）。
【００５９】
パソコンへデータ移行を選択する（１５２）。
【００６０】
マウス１のハードディスクにインストールされているソフトウエアにおいて、パソコン本体４に移行したいソフトウエアを選択する。ソフトウエア種類としては、オペレーティングシステム６３、アプリケーションソフト６４、データ６５、その他のソフトウエア６６などがある（１５３）。
【００６１】
必要なソフトウエアが選択されると、マウス１のハードディスク９にインストールされているソフトウエアが、パソコン本体４内蔵のハードディスク３にデータ移行される。オペレーティングシステム６３がオペレーティングシステム５９に、アプリケーションソフト６４がアプリケーションソフト６０に、データ６５がデータ６１に、その他のソフトウエア６６がその他のソフトウエア６２に移行される（１５４）。
【００６２】
【発明の効果】
以上、説明したように、本発明のマウスパソコン方式によれば、マウスを持ち運ぶだけで、常日頃自分が使いなれているパソコン環境でオペレーションが可能となり、データにおいても自分のパソコンのように自由に加工、登録が出来る。
【００６３】
マウスの使用感もいつも使いなれているものを使用しているため、フィット感も違和感が無い。又、清潔面においても自分専用のマウスとなるために不快感が無くなる。
【図面の簡単な説明】
【図１】マウスパソコンシステムブロック図。
【図２】切替制御部ブロック図。
【図３】パソコン→マウスデータ移行図。
【図４】マウス→パソコンデータ移行図。
【図５】マウスパソコンシステムの概念図。
【図６】ハードディスク内蔵マウス動作フロー。
【図７】ハードディスクリード処理フロー。
【図８】ハードディスクライト処理フロー。
【図９】マウス動作処理フロー。
【図１０】パソコン→マウスデータ移行処理フロー。
【図１１】マウス→パソコンデータ移行処理フロー。
【図１２】ハードディスク切替部動作フロー。
【図１３】マウス／ハードディスクデータ構成。
【図１４】マウス／ハードディスクデータ判別フロー。
【符号の説明】
１…マウス、２…切替制御部、３…内蔵ハードディスク装置、４…パソコン本体、５…メイン制御部、８…高速インタフェース、９…ハードディスク、１０…ＩＤＥ  Ｉ／Ｆ、１１…マウス  Ｉ／Ｆ、１２…ハードディスク切替部、１３…マウス／ハードディスク信号分離部、１４…マウス制御部、１５…マウスハードディスク使用可否スイッチ、１６…切替スイッチ、１７…スイッチ制御部、１８…分離／結合部。
【図１】
2004295454.tif 000003
【図２】
2004295454.tif 000004
【図３】
2004295454.tif 000005
【図４】
2004295454.tif 000006
【図５】
2004295454.tif 000007
【図６】
2004295454.tif 000008
【図７】
2004295454.tif 000009
【図８】
2004295454.tif 000010
【図９】
2004295454.tif 000011
【図１０】
2004295454.tif 000012
【図１１】
2004295454.tif 000013
【図１２】
2004295454.tif 000014
【図１３】
2004295454.tif 000015
【図１４】
2004295454.tif 000016